【手続補正書】
【提出日】平成18年1月11日(2006.1.11)
【手続補正１】
【補正対象書類名】明細書
【補正対象項目名】特許請求の範囲
【補正方法】変更
【補正の内容】
【特許請求の範囲】
【請求項１】  不正な電子機器を判別するためのリボケーション情報と記録媒体固有の情報とを予め備えた記録媒体から、コンテンツ情報を読み出す再生部を有する再生装置と、上記再生装置が上記コンテンツ情報を伝達手段を介して送受信し、処理する情報処理装置と相互に認証する相互認証方法において、
上記再生装置は、当該再生装置を表す情報と上記リボケーション情報とを用いて当該再生装置を無効化すべきか否かを判定する第１の判定ステップを有し、
上記情報処理装置は、当該情報処理装置を表す情報と上記リボケーション情報を用いて当該情報処理装置を無効化すべきか否かを判定する第２の判定ステップを有し、
上記第１の判定ステップによって無効化すべきという判定をされなかった場合に生成される第１の鍵情報と、上記第２の判定ステップによって無効化すべきという判定をされなかった場合に生成される第２の鍵情報とを用いて、上記再生装置と上記情報処理装置とが相互に認証する相互認証ステップとを有することを特徴とする相互認証方法。
【請求項２】  請求項１において、
上記相互認証ステップは、
上記情報処理装置が上記伝達手段を介して正常に動作しているかを上記再生装置において確認する第１の確認ステップと、
上記再生装置が上記伝達手段を介して正常に動作しているかを上記情報処理装置において確認する第２の確認ステップとを有することを特徴とする請求項１に記載の相互認証方法。
【請求項３】  請求項２において、
上記再生装置は、
乱数を生成する第１の乱数生成ステップと、
所定の計算をする第１の計算ステップとを有し、
上記情報処理装置は、
乱数を生成する第２の乱数生成ステップと、
所定の計算をする第２の計算ステップとを有し、
上記第１の確認ステップは、
上記第１の乱数生成ステップにより生成される第１の乱数と、上記第２の乱数生成ステップにより生成される第２の乱数とを上記伝達手段を介して上記再生装置と上記情報処理装置との間で相互に交換する第１の乱数交換ステップと、
上記再生装置において、少なくとも上記第１の鍵情報と上記相互に交換された第１の乱数および第２の乱数とを用いて上記第１の計算ステップにより計算した結果と、上記情報処理装置から上記伝達手段を介して送られた、少なくとも上記第２の鍵情報と上記相互に交換された第１の乱数および第２の乱数とを用いて上記第２の計算ステップにより計算した結果とが同一であるかを比較する第１の比較ステップとを有し、
上記第２の確認ステップは、
上記第１の乱数生成ステップにより生成される第３の乱数と、上記第２の乱数生成ステップにより生成される第４の乱数とを上記伝達手段を介して上記再生装置および上記情報処理装置との間で相互に交換する第２の乱数交換ステップと、
上記情報処理装置において、上記再生装置から上記伝達手段を介して送られた、少なくとも上記第１の鍵情報と上記相互に交換された第３の乱数および第４の乱数とを用いて上記第１の計算ステップにより計算した結果と、少なくとも上記第２の鍵情報と上記相互に交換された第３の乱数および第４の乱数とを用いて上記第２の計算ステップにより計算した結果とが同一であるかを比較する第２の比較ステップとを有していることを特徴とする相互認証方法。
【請求項４】  不正な電子機器を判別するためのリボケーション情報と記録媒体固有の情報とを予め備えた記録媒体から、コンテンツ情報を読み出す再生部を有する再生装置と、上記再生装置が上記コンテンツ情報を伝達手段を介して送受信し、処理する情報処理装置と相互に認証する相互認証方法のプログラムであって、
上記再生装置は、当該再生装置を表す情報と上記リボケーション情報とを用いて当該再生装置を無効化すべきか否かを判定する第１の判定ステップを有し、
上記情報処理装置は、当該情報処理装置を表す情報と上記リボケーション情報を用いて当該情報処理装置を無効化すべきか否かを判定する第２の判定ステップを有し、
上記第１の判定ステップによって無効化すべきという判定をされなかった場合に生成される第１の鍵情報と、上記第２の判定ステップによって無効化すべきという判定をされなかった場合に生成される第２の鍵情報とを用いて、上記再生装置と上記情報処理装置とが相互に認証する相互認証ステップとを有することを特徴とする相互認証方法のプログラム。
【請求項５】  不正な電子機器を判別するためのリボケーション情報と記録媒体固有の情報とを予め備えた記録媒体から、コンテンツ情報を読み出す再生部を有する再生装置と、上記再生装置が上記コンテンツ情報を伝達手段を介して送受信し、処理する情報処理装置と相互に認証する相互認証方法のプログラムを格納した記録媒体であって、
上記再生装置は、当該再生装置を表す情報と上記リボケーション情報とを用いて当該再生装置を無効化すべきか否かを判定する第１の判定ステップを有し、
上記情報処理装置は、当該情報処理装置を表す情報と上記リボケーション情報を用いて当該情報処理装置を無効化すべきか否かを判定する第２の判定ステップを有し、
上記第１の判定ステップによって無効化すべきという判定をされなかった場合に生成される第１の鍵情報と、上記第２の判定ステップによって無効化すべきという判定をされなかった場合に生成される第２の鍵情報とを用いて、上記再生装置と上記情報処理装置とが相互に認証する相互認証ステップとを有することを特徴とする相互認証方法のプログラムを格納した記録媒体。
【請求項６】  不正な電子機器を判別するためのリボケーション情報と記録媒体固有の情報とを予め備えた記録媒体から、コンテンツ情報を読み出す再生部を有する再生装置と、上記再生装置が上記コンテンツ情報を伝達手段を介して送受信し、処理する情報処理装置とを備える信号処理システムであって、
上記再生装置は、当該再生装置を表す情報と上記リボケーション情報とを用いて当該再生装置を無効化すべきか否かを判定する第１の判定手段を有し、
上記情報処理装置は、当該情報処理装置を表す情報と上記リボケーション情報とを用いて当該情報処理装置を無効化すべきか否かを判定する第２の判定手段を有し、
上記第１の判定手段によって無効化すべきという判定をされなかった場合に生成される第１の鍵情報と、上記第２の判定手段によって無効化すべきという判定をされなかった場合に生成される第２の鍵情報とを用いて、上記再生装置と上記情報処理装置とが相互に認証する相互認証手段と、
上記相互認証手段による相互認証後に、上記再生装置および上記情報処理装置に共通の共通鍵を生成する共通鍵生成手段とを備えることを特徴とする信号処理システム。
【請求項７】  請求項６において、
上記相互認証手段は、
上記情報処理装置が上記伝達手段を介して正常に動作しているかを上記再生装置において確認する第１の確認手段と、
上記再生装置が上記伝達手段を介して正常に動作しているかを上記情報処理装置において確認する第２の確認手段とを有することを特徴とする信号処理システム。
【請求項８】  請求項７において、
上記再生装置は、
乱数を生成する第１の乱数生成手段と、
所定の計算をする第１の計算手段とを有し、
上記情報処理装置は、
乱数を生成する第２の乱数生成手段と、
所定の計算をする第２の計算手段とを有し、
上記第１の確認手段は、
上記第１の乱数生成手段により生成される第１の乱数と、上記第２の乱数生成手段により生成される第２の乱数とを上記伝達手段を介して上記再生装置と上記情報処理装置との間で相互に交換する第１の乱数交換手段と、
上記再生装置において、少なくとも上記第１の鍵情報と上記相互に交換された第１の乱数および第２の乱数とを用いて上記第１の計算手段により計算した結果と、上記情報処理装置から上記伝達手段を介して送られた、少なくとも上記第２の鍵情報と上記相互に交換された第１の乱数および第２の乱数とを用いて上記第２の計算手段により計算した結果とが同一であるかを比較する第１の比較手段とを有し、
上記第２の確認手段は、
上記第１の乱数生成手段により生成される第３の乱数と、上記第２の乱数生成手段により生成される第４の乱数とを上記伝達手段を介して上記再生装置および上記情報処理装置との間で相互に交換する第２の乱数交換手段と、
上記情報処理装置において、上記再生装置から上記伝達手段を介して送られた、少なくとも上記第１の鍵情報と上記相互に交換された第３の乱数および第４の乱数とを用いて上記第１の計算手段により計算した結果と、少なくとも上記第２の鍵情報と上記相互に交換された第３の乱数および第４の乱数とを用いて上記第２の計算手段により計算した結果とが同一であるかを比較する第２の比較手段とを有していることを特徴とする信号処理システム。
【請求項９】  請求項８において、
上記共通鍵生成手段は、
上記第１の乱数生成手段により生成される第５の乱数と、上記第２の乱数生成手段により生成される第６の乱数とを上記伝達手段を介して上記再生装置と上記情報処理装置との間で相互に交換する第３の乱数交換手段と、
上記再生装置において、少なくとも上記第１の鍵情報と上記第５の乱数と上記第６の乱数とを用いて上記共通鍵を生成する第１の共通鍵生成手段と、
上記情報処理装置において、少なくとも上記第２の鍵情報と上記第５の乱数と上記第６の乱数とを用いて上記共通鍵を生成する第２の共通鍵生成手段とを有することを特徴とする信号処理システム。
【請求項１０】  請求項９において、
上記伝達手段を介して、上記共通鍵を用いた共通鍵暗号方式で上記再生装置から上記情報処理装置へ情報を送る第１の送信手段と、
上記再生装置において、上記第１の鍵情報と上記記録媒体固有の情報を用いて記録媒体固有の鍵情報を生成する中間鍵情報生成手段とを備えることを特徴とする請求項７に記載の信号処理システム。
【請求項１１】  請求項１０において、
第３の鍵情報を、少なくとも上記記録媒体固有の鍵情報を用いて暗号化する鍵情報暗号化手段と、
上記鍵情報暗号化手段により暗号化された上記第３の鍵情報を上記記録媒体に記録する暗号化鍵情報記録手段と、
上記第３の鍵情報に基づいてコンテンツ情報暗号化鍵を生成する最終暗号化鍵生成手段と、
上記コンテンツ情報暗号化鍵を用いて暗号化されたコンテンツ情報を上記記録媒体に記録するコンテンツ情報記録手段とを備えることを特徴とする信号処理システム。
【請求項１２】  請求項１１において、
上記鍵情報暗号化手段、上記暗号化鍵情報記録手段、上記最終暗号化鍵生成手段、上記コンテンツ情報記録手段は、
上記情報処理装置が有しているとともに、
上記記録媒体固有の鍵情報は、
上記第１の送信手段により上記情報処理装置へ送られることを特徴とする信号処理システム。
【請求項１３】  請求項１２において、
上記第３の鍵情報は、
上記再生装置において前期第１の乱数生成手段により生成された第７の乱数に基づいた鍵情報であるとともに、
当該第３の鍵情報は、
上記第１の送信手段により上記情報処理装置に送られることを特徴とする信号処理システム。
【請求項１４】  請求項１２において、
上記第３の鍵情報は、
上記情報処理装置において上記第２の乱数生成手段により生成された第８の乱数に基づいた鍵情報であることを特徴とする信号処理システム。
【請求項１５】  請求項１１において、
上記鍵情報暗号化手段、上記暗号化鍵情報記録手段、上記コンテンツ情報記録手段は、
上記情報処理装置が有しており、
上記記録媒体固有の鍵情報は、
上記第１の送信手段により上記情報処理装置へ送られるとともに、
上記最終暗号化鍵生成手段は、
上記再生装置が有しており、
上記最終暗号化鍵生成手段により生成された上記コンテンツ情報暗号化鍵は、
上記第１の送信手段により上記情報処理装置へ送られることを特徴とする信号処理システム。
【請求項１６】  請求項１５において、
上記第３の鍵情報は、
上記再生装置において上記第１の乱数生成手段により生成された第９の乱数を基にした鍵情報であることを特徴とする請求項１３に記載の信号処理システム。
【請求項１７】  請求項１５において、
上記第３の鍵情報は、
上記情報処理装置において上記第２の乱数生成手段により生成された第１０の乱数を基にした鍵情報であるとともに、
上記伝達手段を介して、上記共通鍵を用いた共通鍵暗号方式で上記情報処理装置から上記再生装置へ情報を送る第２の送信手段により上記再生装置の上記最終暗号化鍵生成手段に送られることを特徴とする信号処理システム。
【請求項１８】  請求項１０において、
上記記録媒体から読み出される暗号化された第４の鍵情報を、少なくとも上記記録媒体固有の鍵情報を用いて復号する鍵情報復号手段と、
上記第４の鍵情報に基づいてコンテンツ情報復号鍵を生成する最終復号鍵生成手段と、
上記コンテンツ情報復号鍵を用いて上記コンテンツ情報を復号するコンテンツ情報復号手段とを備えていることを特徴とする信号処理システム。
【請求項１９】  請求項１８において、
上記最終復号鍵生成手段、上記コンテンツ情報復号手段は、
上記情報処理装置が有していることを特徴とする信号処理システム。
【請求項２０】  請求項１９において、
上記鍵情報復号手段は、
上記情報処理装置が有しており、
上記記録媒体固有の鍵情報は、
上記第１の送信手段によって上記情報処理装置へ送られることを特徴とする信号処理システム。
【請求項２１】  請求項１９において、
上記鍵情報復号手段は、
上記再生装置が有しており、
復号された上記第４の鍵情報は、
上記第１の送信手段によって上記情報処理装置へ送られることを特徴とする信号処理システム。
【請求項２２】  請求項１８において、
上記最終復号鍵生成手段は、
上記再生装置が有していることを特徴とする信号処理システム。
【請求項２３】  請求項２２において、
上記鍵情報復号手段は、
上記再生装置が有しており、
上記再生装置において生成された上記コンテンツ情報復号鍵は、
上記第１の送信手段によって上記情報処理装置へ送られることを特徴とする信号処理システム。
【請求項２４】  不正な電子機器を判別するためのリボケーション情報と記録媒体固有の情報とを予め備えた記録媒体から、コンテンツ情報を読み出す再生部を有し、上記コンテンツ情報が伝達手段を介して情報処理装置に送信され、処理される信号処理システムにおける再生装置であって、
当該再生装置を表す情報と上記リボケーション情報とを用いて当該再生装置を無効化すべきか否かを判定する第１の判定手段を有し、
上記第１の判定手段によって無効化すべきという判定をされなかった場合に生成される第１の鍵情報と、
上記情報処理装置に設けられている当該情報処理装置を表す情報と上記リボケーション情報とを用いて当該情報処理装置を無効化すべきか否かを判定する第２の判定手段によって無効化すべきという判定をされなかった場合に生成される第２の鍵情報とを用いて、上記情報処理装置と相互に認証する相互認証手段と、
上記相互認証手段による相互認証後に、上記情報処理装置と共通の共通鍵を生成する共通鍵生成手段とを備えることを特徴とする再生装置。
【請求項２５】  不正な電子機器を判別するためのリボケーション情報と記録媒体固有の情報とを予め備えた記録媒体から、再生装置がコンテンツ情報を読み出し、上記コンテンツ情報が伝達手段を介して受信され、処理される情報処理装置であって、
上記再生装置に設けられている第１の判定手段によって、当該再生装置を表す情報と上記リボケーション情報とを用いて当該再生装置を無効化すべきか否かを判定し、上記第１の判定手段によって無効化すべきという判定をされなかった場合に生成される第１の鍵情報と、
当該情報処理装置を表す情報と上記リボケーション情報とを用いて当該情報処理装置を無効化すべきか否かを判定する第２の判定手段を有し、
上記第１の鍵情報と、上記第２の判定手段によって無効化すべきという判定をされなかった場合に生成される第２の鍵情報とを用いて、上記再生装置と相互に認証する相互認証手段と、
上記相互認証手段による相互認証後に、上記再生装置と共通の共通鍵を生成する共通鍵生成手段とを備えることを特徴とする情報処理装置。
【請求項２６】  不正な電子機器を判別するためのリボケーション情報と記録媒体固有の情報とを予め備えた記録媒体から、コンテンツ情報を読み出す再生部を有する再生装置と、上記再生装置が上記コンテンツ情報を伝達手段を介して送受信し、処理する情報処理装置とを備える信号処理システムであって、
当該再生装置を表す情報と上記リボケーション情報とを用いて、当該再生装置を無効化すべきか否かを判定する第１の判定手段を有し、
当該情報処理装置を表す情報と上記リボケーション情報とを用いて当該情報処理装置を無効化すべきか否かを判定する第２の判定手段を有し、
上記第１の判定手段及び第２の判定手段により、それぞれ無効化すべきではないと判断された場合に、上記再生装置および上記情報処理装置に共通の共通鍵を生成する共通鍵生成手段とを備えることを特徴とする信号処理システム。